(57)【要約】【課題】部品点数の増大を抑制して、表示板表面側を照明できる車両用計器を提供する。【解決手段】表示板１２に開口形成された透光スリット２６に設けられ、表示板１２の裏面側に設けられた光源４からの照明光を、表示板１２の表面１２ｂ側に導光する透光性部材からなる目盛り本体２２を有する車両用計器である。目盛り本体２２は、表示板１２の表面１２ｂ側に所定高さ膨出形成されると共に、回動領域Ｓ側の側面２２ｂが、照明光を散乱させて表示板１２の表面１２ｂ側を照光するように構成された膨出部２２を有している。【選択図】　図１
2004108855.tif 000002
【特許請求の範囲】
【請求項１】
表示板に開口形成された透光スリットに設けられ、該表示板の裏面側に設けられた光源からの照明光を、該表示板表面側に導光する透光性部材からなる目盛り本体を有する車両用計器において、
前記目盛り本体は、前記表示板表面側に所定高さ膨出形成されると共に、少なくとも一側面は、前記照明光を散乱させて前記表示板表面側を照光するように構成された膨出部を有することを特徴とする車両用計器。
【請求項２】
前記表示板には、回動可能に設けられた指針の回動領域が設けられると共に、前記透光スリットを形成する位置を該回動領域周縁で、しかも、該回動領域よりも、表示板面内、外方向で所定高さ高くなるように設定することを特徴とする請求項１記載の車両用計器。
【請求項３】
前記表示板には、前記回動領域の径方向外方へ立ち上がる略円環状の傾斜縁部が形成されて、該傾斜縁部に前記目盛り本体が配置されていることを特徴とする請求項２記載の車両用計器。
【請求項４】
前記目盛り本体の前記回動領域側側面には、梨地表面加工が施されていることを特徴とする請求項２又は３記載の車両用計器。
【請求項５】
前記目盛り本体の前記回動領域側側面と反対側の側面に沿わせて、前記表示板の起立部分の裏面側を傾斜させることにより、前記光源からの照明光を前記表示板表面側に向けて、反射させる反射面部を形成することを特徴とする請求項１乃至４のうち何れか一項記載の車両用計器。
【発明の詳細な説明】
【０００１】
【発明の属する技術分野】
この発明は、車両用計器の表示板の表面を照明する車両用計器に関する。
【０００２】
【従来の技術】
従来、図５に示すような表示板２を有する車両用計器１が提案されている（例えば特許文献１参照）。
【０００３】
まず、構成から説明すると、このような車両用計器１では、光透過性を有する前記表示板２に、裏面側に設けられた光源４からの照明光を透過する目盛り部３が形成されている。
【０００４】
この目盛り部３に周囲は、黒色不透明インキ層５が形成されていて、前記光源４からの照明光を透過させないように構成されている。
【０００５】
次に、この従来の車両用計器１の作用について説明する。
【０００６】
このように構成された従来の車両用計器１では、前記光源４を点灯すると、前記目盛り部４では、照明光が、この表示板２を通過して図示省略の運転席側方向に導かれる。
【０００７】
また、前記黒色不透明インキ層５では、前記光源４からの照明光が透過しない。このため、目盛り部３外側縁のコントラストが向上して、視認性を良好なものとすることが出来る。
【０００８】
【特許文献１】
実開平５−６４７２７号公報（第１図）
【０００９】
【発明が解決しようとする課題】
しかしながら、前記従来の車両用計器１では、図５に示すように、前記表示板２の表面を照明しようとすると、別途、この表示板２の前方から、直接、或いは間接的に照明光を照射する表示板照明装置を設けなければならない。
【００１０】
このような表示板照明装置を設けると、部品点数が増大して、組み立て工程数も増大するため、製造コストの上昇を抑制することが困難であるといった問題があった。
そこで、本発明の目的は、部品点数の増大を抑制して、表示板表面側を照明できる車両用計器を提供することにある。
【００１１】
【課題を解決するための手段】
本発明は、かかる問題点に着目してなされたもので、請求項１に係る発明では、表示板に開口形成された透光スリットに設けられ、該表示板の裏面側に設けられた光源からの照明光を、該表示板表面側に導光する透光性部材からなる目盛り本体を有する車両用計器において、前記目盛り本体は、前記表示板表面側に所定高さ膨出形成されると共に、少なくとも一側面は、前記照明光を散乱させて前記表示板表面側を照光するように構成された膨出部を有する車両用計器を特徴としている。
【００１２】
このように構成された請求項１記載のものでは、前記目盛り本体に設けられた前記膨出部が、前記光源からの照明光を、該表示板表面側に導光して、少なくとも一側面から、前記照明光を散乱させて前記表示板表面側を照光する。
【００１３】
このため、別途照明装置を設ける必要がなくなり、部品点数の増大が抑制されて、表示板表面側が照明できる。
【００１４】
また、請求項２に記載されたものでは、前記表示板には、回動可能に設けられた指針の回動領域が設けられると共に、前記透光スリットを形成する位置を該回動領域周縁で、しかも、該回動領域よりも、表示板面内、外方向で所定高さ高くなるように設定する請求項１記載の車両用計器を特徴としている。
【００１５】
このように構成された請求項２記載のものでは、前記指針の回動領域が、表示板面内、外方向で所定高さ高くなるように、該回動領域周囲に形成された透光スリットを通過する照明光で、照明される。
【００１６】
このため、前記指針の回動領域の視認性を向上させることができる。
【００１７】
更に、請求項３に記載されたものでは、前記表示板には、前記回動領域の径方向外方へ立ち上がる略円環状の傾斜縁部が形成されて、該傾斜縁部に前記目盛り本体が配置されている請求項２記載の車両用計器を特徴としている。
【００１８】
このように構成された請求項３記載のものでは、該傾斜縁部の傾斜によって、前記目盛り本体の回動領域側側面を、前記表示板表面方向に向けることが出来る。
【００１９】
このため、前記回動領域周縁に形成された目盛り本体から照明される照明光を該回動領域方向に集光しやすい。
【００２０】
また、請求項４に記載されたものでは、前記目盛り本体の前記回動領域側側面には、梨地表面加工が施されている請求項２又は３記載の車両用計器を特徴としている。
【００２１】
このように構成された請求項４に記載されたものでは、前記目盛り本体の前記回動領域側側面に施された梨地表面加工によって、前記透光性部材内を通過した光源からの照明光が、拡散されて、前記回動領域方向への照光量を増大させることができる。
【００２２】
そして、請求項５に記載されたものでは、前記目盛り本体の前記回動領域側側面と反対側の側面に沿わせて、前記表示板の起立部分の裏面側を傾斜させることにより、前記光源からの照明光を前記表示板表面側に向けて、反射させる反射面部を形成する請求項１乃至４のうち何れか一項記載の車両用計器を特徴としている。
【００２３】
このように構成された請求項５記載のものでは、前記反射面部が、前記光源からの照明光を前記表示板表面側に向けて、反射させる。
【００２４】
このため、更に、前記回動領域方向への照光量を増大させることができる。
【００２５】
【発明の実施の形態】
図１乃至図４は、この発明の実施の形態の車両用計器を示すものである。
【００２６】
なお、前記従来例と同一乃至均等な部分については、同一符号を付して説明する。
【００２７】
まず、構成から説明すると、この実施の形態の車両用計器１１では、図２に示すように、車速計１３、エンジン回転数計１４、燃料計１５及び水温計１６の各計器が一つのケース内に設けられた表示板１２に配置されている。
【００２８】
このうち、前記エンジン回転数計１４は、前記車速計１３と構成を略同一とするので、以下前記車速計１３の構成を中心に説明する。
【００２９】
この車速計１３は、前記表示板２に回動可能に設けられた指針１７の回動領域Ｓが、平板円盤状を呈する平盤面部１２ａの上面側に、指針７の軌跡として正面視略扇形状を呈するように設けられている。
【００３０】
この回動領域Ｓの周囲には、径方向外方へ立ち上がる略円環状の傾斜縁部１８が形成されている。
【００３１】
この傾斜縁部１８には、前記回動領域Ｓの外周縁に隣接して、外側に向けて高くなるように円環状を呈して傾斜する第１傾斜面部１９が形成されている。
【００３２】
この第１傾斜面部１９には、８０，１００キロ等、車速キロ数を表示する数値スリット２５が、前記光源４からの光を透過可能に開口形成されている。
【００３３】
また、この傾斜縁部１８には、この第１傾斜面部１９の外周縁に隣接して、前記平板面部１２ａと略同様に水平に、所定の幅を有して円環状を呈する水平棚部２０が形成されている。
【００３４】
更に、この傾斜縁部１８には、水平棚部２０の外周縁に隣接して、外側に向けて高くなるように円環状を呈して傾斜する第２傾斜面部２１が形成されている。
【００３５】
そして、この水平棚部２０及び第２傾斜面部２１に跨って、目盛り本体としての大，中目盛り本体２２，２３が、所定間隔を置いて複数個、配置されている。
【００３６】
また、前記第２傾斜面部２１には、大，中目盛り本体２２，２３間には、所定間隔を置いて、目盛り本体としての小目盛り本体２４，２４が複数個、配置されている。
【００３７】
これらの大〜小目盛り本体２２〜２４は、各々表示板１２に開口形成された透光スリット２６，２７…に設けられ、この表示板１の裏面側に設けられた光源４からの照明光を、この表示板１２表面１２ｂ側に導光する透光性部材によって構成されている。
【００３８】
そして、この実施の形態１では、前記透光スリット２６，２７…が形成される位置を、前記水平棚部２０及び第２傾斜面部２１に跨って、或いは第２傾斜面部２１とすることにより、図４に示すように、前記透光スリット２６，２７…の形成位置が、回動領域領域Ｓ周縁で、しかも、この回動領域Ｓよりも、表示板１２面内、外方向で所定高さ高くなるように設定されている。
【００３９】
次に、前記大目盛り本体２２の構成について詳述する。
なお、前記中，小目盛り本体２３，２４は、前記大目盛り本体２２と大きさ及び一部形状が異なるのみで、略同一構成であるので説明を省略する。
【００４０】
この大目盛り本体２２は、前記表示板１２の表面１２ｂ側から所定高さ膨出形成される略半円柱形状の膨出部２２ａを有している。
【００４１】
この膨出部２２ａの少なくとも一側面である回動領域側側面２２ｂには、前記照明光を散乱させて、前記表示板１２の表面１２ｂ側を照光するように構成されている。
【００４２】
更に、この実施の形態１では、前記大目盛り本体２２の前記回動領域側側面２２ｂには、梨地表面加工が施されている。
【００４３】
また、この実施の形態１では、図１又は図４に示すように、前記大目盛り本体２２の前記回動領域側側面２２ｂと反対側の側面２２ｃには、この側面２２ｃに沿わせて、前記表示板１２の起立部分１２ｃの裏面側１２ｄを、内側に湾曲させながら傾斜させることにより、前記光源４からの照明光を前記表示板１２表面１２ｂ側に向けて、反射させる反射面部２８が形成されている。
【００４４】
次に、この実施の形態１の作用について説明する。
【００４５】
この実施の形態１では、前記大〜小目盛り本体２２〜２４に設けられた前記膨出部２２ａ〜２４ａが、前記光源４からの照明光を、前記表示板１２の表面１２ｂ側に導光して、前記回動領域側側面２２ｂ等から、前記照明光を散乱させて前記表示板１２の表面１２ｂ側に向けて照光を行う。
【００４６】
このため、別途照明装置を設ける必要がなくなり、部品点数の増大が抑制されて、表示板１２の表面１２ｂ側が照明される。
【００４７】
また、前記指針１７の回動領域Ｓが、表示板１２の面内、外方向で所定高さ高くなるように、この回動領域Ｓ周囲に形成された透光スリット２６等を通過して、前記大〜小目盛り本体２２〜２４から照光される照明光で、照明される。
【００４８】
このため、前記指針１７の回動領域Ｓの視認性を向上させることができる。
【００４９】
更に、この傾斜縁部１８の第２傾斜面部２１によって、前記目盛り本体２２の回動領域側側面２２ｂが、膨出による違和感なく前記表示板１２の表面１２ｂ方向に向けられて膨出するので、外観品質を損なう虞を減少することが出来る。
【００５０】
また、前記第２傾斜面部２１等によって、前記回動領域Ｓ周縁に形成された複数の大〜小目盛り本体２２〜２４から照明される照明光を回動領域Ｓ方向に集光させやすい。
【００５１】
また、この実施の形態１では、前記大目盛り本体２２の前記回動領域側側面２２ｂに施された梨地表面加工によって、前記透光性部材である大目盛り本体２２内を通過した光源からの照明光が、拡散されて、前記回動領域Ｓ方向への照光量を増大させることができる。
【００５２】
そして、この実施の形態１では、前記反射面部２８が、前記光源４からの照明光を前記表示板１２の表面１２ｂ側に向けて、反射させる。
【００５３】
このため、更に、前記回動領域Ｓ方向への照光量を増大させることができる。
【００５４】
以上、図面を参照して、本発明の実施の形態１の車両用計器を詳述してきたが、具体的な構成は、これらの実施の形態１に限らず、本発明の要旨を逸脱しない程度の設計的変更は、本発明に含まれる。
【００５５】
例えば、前記実施の形態１では、光源４を例示して説明してきたが、光源４の種類は、特にこれに限らず、例えば、ＬＥＤ，電球等の発光体を光源として用いるものであれば、前記大目盛り本体２２の下面部に位置しなくても、裏面側に向けて、光源に相当する導光部材の端部を臨ませればよく、発光体の位置が限定されるものではない。
【００５６】
また、前記実施の形態１では、車速計１３、エンジン回転数計１４、燃料計１５及び水温計１６等の各計器が一つのケース内の表示板１２に配置されているいわゆるコンビネーションメータの構成を例示して説明してきたが、特にこれに限らず、例えば、車速計、エンジン回転数計、燃料計及び水温計等の各計器が、個別に設けられる独立メータであってもよく、数量、形状及び材質が特に限定されるものではない。
【００５７】
【発明の効果】
上述してきたように、請求項１記載のものでは、前記目盛り本体に設けられた前記膨出部が、前記光源からの照明光を、該表示板表面側に導光して、少なくとも一側面から、前記照明光を散乱させて前記表示板表面側を照光する。
【００５８】
このため、別途照明装置を設ける必要がなくなり、部品点数の増大が抑制されて、表示板表面側が照明できる。
【００５９】
また、請求項２に記載されたものでは、前記指針の回動領域が、表示板面内、外方向で所定高さ高くなるように、該回動領域周囲に形成された透光スリットを通過する照明光で、照明される。
【００６０】
このため、前記指針の回動領域の視認性を向上させることができる。
【００６１】
更に、請求項３に記載されたものでは、該傾斜縁部の傾斜によって、前記目盛り本体の回動領域側側面を、前記表示板表面方向に向けることが出来る。
【００６２】
このため、前記回動領域周縁に形成された目盛り本体から照明される照明光を該回動領域方向に集光しやすい。
【００６３】
また、請求項４に記載されたものでは、前記目盛り本体の前記回動領域側側面に施された梨地表面加工によって、前記透光性部材内を通過した光源からの照明光が、拡散されて、前記回動領域方向への照光量を増大させることができる。
【００６４】
そして、請求項５に記載されたものでは、前記反射面部が、前記光源からの照明光を前記表示板表面側に向けて、反射させる。
【００６５】
このため、更に、前記回動領域方向への照光量を増大させることができる、という実用上有益な効果を発揮する。
【図面の簡単な説明】
【図１】本発明の実施の形態１の車両用計器で、要部の構成を説明する一部断面斜視面図である。
【図２】実施の形態１の車両用計器で、全体の構成を説明する正面図である。
【図３】実施の形態１の車両用計器で、図２中Ａ−Ａ線に沿った位置での断面図である。
【図４】実施の形態１の車両用計器で、図２中Ｂ−Ｂ線に沿った位置での断面図である。
【図５】従来の車両用計器で、要部の拡大断面図である。
【符号の説明】
４　　　　　　　　　　　光源
１１　　　　　　　　　　車両用計器
１２　　　　　　　　　　表示板
１２ｂ　　　　　　　　　表面
１２ｃ　　　　　　　　　起立部分
１８　　　　　　　　　　傾斜縁部
１８ａ　　　　　　　　　第１傾斜面部
１８ｂ　　　　　　　　　水平棚部
１８ｃ　　　　　　　　　第２傾斜面部
２２，２３，２４　　　　大，中，小目盛り本体
２２ａ，２３ａ　　　　　膨出部
２２ｂ　　　　　　　　　回動領域側側面
２２ｃ　　　　　　　　　（反対側）側面
２６，２７　　　　　　　透過スリット
２８　　　　　　　　　　反射面部
【図１】
2004108855.tif 000003
【図２】
2004108855.tif 000004
【図３】
2004108855.tif 000005
【図４】
2004108855.tif 000006
【図５】
2004108855.tif 000007